(57)【要約】      （修正有）【課題】無線ＬＡＮアダプタに比較的容易にアクセスすることができる空気調和装置の室内機を提供する。【解決手段】外装部材４内に送風機及び熱交換器が配設された、空気調和装置の室内機。外装部材４の一部を構成する着脱自在のカバー部材の内側に、空気調和装置のネットワーク通信部として機能する無線ＬＡＮアダプタ１６が配設されている。【選択図】図３
2020026893.tif 000002
【特許請求の範囲】
【請求項１】
外装部材（４，２２，３３）内に送風機（２、２３）及び熱交換器（３、２４）が配設された、空気調和装置の室内機（１，２１，３１）であって、
前記外装部材（４，２２，３３）の一部を構成する着脱自在のカバー部材（１５、２２ａ，３６）の内側に、空気調和装置のネットワーク通信部として機能する無線ＬＡＮアダプタ（１６，２９，３７）が配設されている、空気調和装置の室内機（１，２１，３１）。  
【請求項２】
前記室内機が天井埋め込み型の室内機（１）であり、
前記カバー部材（１５）が、前記外装部材（４）を構成し天井面に設けられる化粧パネル（５）のコーナー部に設けられる、請求項１に記載の空気調和装置の室内機（１）。
【請求項３】
前記室内機が床置き型の室内機（２１）であり、
前記カバー部材が、前記外装部材を構成するケーシング（２２）に形成された吸込口（２５）を有する吸込みパネル（２２ａ）である、請求項１に記載の空気調和装置の室内機（２１）。
【請求項４】
前記無線ＬＡＮアダプタ（２９）が、前記吸込みパネル（２２ａ）の内側に配設され、前記室内機を制御するプリント基板を収容する電装品ボックス（２８）と一体に設けられる、請求項３に記載の空気調和装置の室内機（２１）。
【請求項５】
前記室内機が天井設置型の室内機（３１）であり、
前記カバー部材が、前記外装部材を構成する箱形状のケーシング（３３）のコーナー部に設けられる、請求項１に記載の空気調和装置の室内機（３１）。
【請求項６】
前記無線ＬＡＮアダプタ（１６）が取付ホルダ（１７）によって所定位置に配設される、請求項１〜請求項５のいずれか１項に記載の空気調和装置の室内機（１）。
【請求項７】
前記無線ＬＡＮアダプタは、室内機のプリント基板から電源を供給されている、請求項１〜請求項６のいずれか１項に記載の空気調和装置の室内機。
【請求項８】
前記無線ＬＡＮアダプタは、室内機のプリント基板から電源を供給されており、その電源線は、中継コネクタを介して前記無線ＬＡＮアダプタとプリント基板とを接続している、請求項１〜請求項７のいずれか１項に記載の空気調和装置の室内機。
【発明の詳細な説明】
【技術分野】
【０００１】
本開示は空気調和装置の室内機に関する。さらに詳しくは、無線ＬＡＮアダプタを備えた、空気調和装置の室内機に関する。
【背景技術】
【０００２】
分散して配置された複数の冷凍装置を中央のサーバで集中して監視するために、有線ＬＡＮ装置に代えて無線ＬＡＮ装置を用いた監視システムが知られている（例えば、特許文献１参照）。
【先行技術文献】
【特許文献】
【０００３】
【特許文献１】特開２００４−２９７４６１号公報
【発明の概要】
【発明が解決しようとする課題】
【０００４】
無線ＬＡＮアダプタを備えた、空気調和装置の室内機をメンテナンスする際に、当該無線ＬＡＮアダプタの作動状態等を確認する必要性が生じることがある。
【０００５】
本開示は、無線ＬＡＮアダプタに比較的容易にアクセスすることができる空気調和装置の室内機を提供することを目的としている。
【課題を解決するための手段】
【０００６】
本開示の空気調和装置の室内機（以下、単に「室内機」ともいう）は、
（１）外装部材内に送風機及び熱交換器が配設された、空気調和装置の室内機であって、
前記外装部材の一部を構成する着脱自在のカバー部材の内側に、空気調和装置のネットワーク通信部として機能する無線ＬＡＮアダプタが配設されている。
【０００７】
本開示の室内機は、無線ＬＡＮアダプタが外装部材の一部を構成する着脱自在のカバー部材の内側に配設されている。このため、メンテナンス等において必要なときにカバー部材を外すことで簡単に無線ＬＡＮアダプタにアクセスすることができる。なお、本明細書において「内側」は、機内においてカバー部材から離間した位置だけでなく、当該カバー部材の機内側の面に接触する位置も含まれる。したがって、「内側に配設」には、無線ＬＡＮアダプタが機内においてカバー部材から離間した位置に配設される場合だけでなく、当該カバー部材の機内側の面に直接に、又は、ホルダ等を介して間接的に取り付けられる場合も含まれる。
【０００８】
（２）前記（１）の室内機において、前記室内機が天井埋め込み型の室内機であり、
前記カバー部材を、前記外装部材を構成し天井面に設けられる化粧パネルのコーナー部に設けることができる。この場合、化粧パネルのコーナー部のカバー部材を外すことで簡単に無線ＬＡＮアダプタにアクセスすることができる。
【０００９】
（３）前記（１）の室内機において、前記室内機が床置き型の室内機であり、
前記カバー部材を、前記外装部材を構成するケーシングに形成された吸込口を有する吸込みパネルとすることができる。この場合、吸込みパネルを外すことで簡単に無線ＬＡＮアダプタにアクセスすることができる。
【００１０】
（４）前記（３）の室内機において、前記無線ＬＡＮアダプタが、前記吸込みパネルの内側に配設され、前記室内機を制御するプリント基板を収容する電装品ボックスと一体に設けられることが望ましい。この場合、無線ＬＡＮアダプタを電装品ボックスと一体に設けることで、メンテナンス対象をまとめて配置することができ、メンテナンスし易くなる。
【００１１】
（５）前記（１）の室内機において、前記室内機が天井設置型の室内機であり、
前記カバー部材を、前記外装部材を構成する箱形状のケーシングのコーナー部に設けることができる。この場合、ケーシングのコーナー部のカバー部材を外すことで簡単に無線ＬＡＮアダプタにアクセスすることができる。
【００１２】
（６）前記（１）〜（５）の室内機において、前記無線ＬＡＮアダプタが取付ホルダによって所定位置に配設されるものとすることができる。この場合、取付ホルダによって簡単に無線ＬＡＮアダプタを所定位置に配設することができる。
【００１３】
（７）前記（１）〜（６）の室内機において、前記無線ＬＡＮアダプタは、室内機のプリント基板から電源を供給されているものとすることができる。この場合、無線ＬＡＮアダプタへの電源供給のラインないしルートを簡素化することができる。
【００１４】
（８）前記（１）〜（７）の室内機において、前記無線ＬＡＮアダプタは、室内機のプリント基板から電源を供給されており、その電源線は、中継コネクタを介して前記無線ＬＡＮアダプタとプリント基板とを接続しているものとすることができる。この場合、無線ＬＡＮアダプタへの電源供給のラインないしルートを簡素化することができる。
【図面の簡単な説明】
【００１５】
【図１】本開示の室内機の一実施形態の斜視説明図である。
【図２】図１に示される室内機の断面説明図である。
【図３】カバー部材を取り外した化粧パネルを天井裏側から見た斜視説明図である。
【図４】本開示の室内機の他の実施形態の斜視説明図である。
【図５】図４に示される室内機の断面説明図である。
【図６】本開示の室内機のさらに他の実施形態の斜視説明図である。
【図７】図６に示される室内機のケーシングのコーナー部の斜視説明図である。
【図８】図７に示されるカバー部材をケーシングから取り外した状態の斜視説明図である。
【発明を実施するための形態】
【００１６】
以下、添付図面を参照しつつ、本開示の室内機を詳細に説明する。なお、本開示はこれらの例示に限定されるものではなく、特許請求の範囲によって示され、特許請求の範囲と均等の意味及び範囲内でのすべての変更が含まれることが意図される。
【００１７】
〔実施形態１〕
図１は、本開示の一実施形態に係る室内機１の斜視説明図であり、図２は、図１に示される室内機１の断面説明図である。
室内機１は、空気調和装置の室内機であり、天井埋め込み型の室内機（空気調和機）である。室内機１は、送風機２や熱交換器３等の各種要素を収容する、外装部材としてのケーシング４及び化粧パネル５を備えている。ケーシング４は、下端面が開口された箱状体からなり、図２に示されるように、天井Ｃに形成された開口内に配設される。化粧パネル５は、四角形状の板体からなり、中央に空調室内の空気を吸い込む吸込口６が形成されている。また、調和空気を空調室内に吹き出す細長い長方形状の吹出口７が、化粧パネル５の各辺に沿うように前記吸込口６の周囲に形成されている。  
【００１８】
各吹出口７には、当該吹出口７から空調室内に吹き出される調和空気の風向を調整するフラップ７ａが配設されている。フラップ７ａは、吹出口７の長手方向に沿った軸回りに回動可能である。フラップ７ａの回動は、図示しないモータにより行うことができる。
化粧パネル５の吸込口６には、室内側から、吸込グリル８と、吸込口６から吸い込まれる室内空気中の塵埃を除去するためのフィルタ９とがこの順に配設されている。
【００１９】
ケーシング４の内部には、化粧パネル５の吸込口６から空調室内の空気を吸い込み、当該空気に熱交換を施した後に、化粧パネル５の吹出口７から調和空気を空調室内に吹き出す送風機２と、当該送風機２を囲むように配置された熱交換器３とが配設されている。送風機２は、モータ１０と、羽根車１１とを有している。
【００２０】
熱交換器３は、送風機２を囲むように曲げられて形成されたクロスフィンチューブ型の熱交換器であり、一方の端部に室外機（図示せず）からの冷媒配管が接続される。熱交換器３の下方には、当該熱交換器３で熱交換する空気中の水分が凝縮されて生じるドレンを受けるためのドレンパン１２が配設されている。ドレンパン１２には、化粧パネル５の吸込口６に対応する吸込孔１３が形成されており、当該吸込孔１３の内縁には化粧パネル５の吸込口６から吸い込まれる空気を送風機２の羽根車１１に案内するためのベルマウス１４が取り付けられている。
【００２１】
化粧パネル５のコーナー部には、カバー部材１５が着脱自在に設けられている。カバー部材１５は、化粧パネル５の着脱や調整のために、例えば、当該カバー部材１５の素材である合成樹脂のたわみを利用した嵌め合いにより化粧パネル１５に着脱自在に取り付けられている。
【００２２】
カバー部材１５の内側ないし内部側の化粧パネル５の裏面５ａには、図３に示されるように、空気調和装置のネットワーク通信部として機能する無線ＬＡＮアダプタ１６が配設されている。図３はカバー部材１５を取り外した化粧パネル５を天井裏側から見た斜視説明図である。無線ＬＡＮアダプタ１６は、化粧パネル５の裏面５ａに固設された合成樹脂製の取付ホルダ１７に保持されている。取付ホルダ１７を用いることで無線ＬＡＮアダプタ１６の所定位置への配置を簡単に行うことができる。無線ＬＡＮアダプタ１６は、合成樹脂製の箱形状のケーシング内に電子部品を搭載したプリント基板が収容された一般的な構成を備えたものである。なお、図３に示される例では、カバー部材１５から離間した位置に取付ホルダ１７が配設されているが、当該カバー部材１５の機内側の面に取付ホルダ１７を配設することもできる。
【００２３】
着脱自在のカバー部材１５の内側に無線ＬＡＮアダプタ１６を配設することで、メンテナンスに際して当該無線ＬＡＮアダプタ１６に触れる必要性が生じた場合でも、カバー部材１５を取り外すだけで簡単に無線ＬＡＮアダプタ１６にアクセスすることができる。しかも、無線ＬＡＮアダプタ１６は、普段はカバー部材１５の内側に配設されており、ユーザーの目に触れることがないので、室内機１から無線ＬＡＮアダプタ１６へのケーブル等によって、室内の美感が低下することもない。
【００２４】
本実施形態のような天井埋め込み型の室内機の場合、無線ＬＡＮアダプタ１６が天井裏に配置されることがあり、この場合、機器の据え付け後に無線ＬＡＮアダプタ１６に直接触れるためには、天井に設けられた点検口等から無線ＬＡＮアダプタ１６にアクセスする必要があり、作業性が悪いという問題があるが、前記のように着脱自在のカバー部材１５の内側に無線ＬＡＮアダプタ１６を配設することで、無線ＬＡＮアダプタ１６へのアクセスが容易になる。
【００２５】
〔実施形態２〕
図４は、本開示の他の実施形態に係る、空気調和装置の室内機２１の斜視説明図であり、図５は、図４に示される室内機２１の断面説明図である。
室内機２１は居室の床Ｆに配設される床置き型の室内機である。室内機２１は、外装部材としての箱形状のケーシング２２を備えており、このケーシング２２内に送風機２３や熱交換器２４等の各種要素が収容されている。室内の空気は、ケーシング２２の前面に形成された吸込口２５から送風機２３により機内に吸引され、機内上部に配設された熱交換器２４を通過して冷却又は加熱された後にケーシング２２の上面に形成された吹出口２６から室内に吹き出される。なお、吸込口２５及び吹出口２６の位置は、室内機２１の用途や規模等に応じて適宜選定することができ、例えばケーシングの背面の吸込口から吸い込んだ空気を当該ケーシングの前面の吹出口から室内に吹き出す構成とすることもできる。
【００２６】
吸込口２５はケーシング２２の一部を構成する吸込みパネル２２ａに形成されており、この吸込みパネル２２ａはケーシング２２の前面パネル２２ｂに着脱自在である。機内下部の機械室２７における上部には、室内機２１を制御するプリント基板Ｐを収容する電装品ボックス２８が配設されており、この電装品ボックス２８は吸込みパネル２２ａの内側に位置している。電装品ボックス２８には、空気調和装置のネットワーク通信部として機能する無線ＬＡＮアダプタ２９が付設されている。本実施形態では、無線ＬＡＮアダプタ２９は、電装品ボックス２８に固設された取付ホルダ３０によって当該電装品ボックス２８と一体になるように保持されている。近接した箇所に電装品ボックス２８と無線ＬＡＮアダプタ２９とが設けられているので、これらのメンテナンス作業を効率的に行うことができる。なお、本明細書において「一体」とは、電装品ボックス２８のボックス本体ないしケーシング２８ａに無線ＬＡＮアダプタ２９が直接に取り付けられる又は固定される場合だけでなく、別部材（本実施形態における取付ホルダ等）を介して取り付けられる又は固定される場合も含む趣旨である。
【００２７】
着脱自在の吸込みパネル２２ａの内側に無線ＬＡＮアダプタ２９を配設することで、メンテナンスに際して当該無線ＬＡＮアダプタ２９に触れる必要性が生じた場合でも、吸込みパネル２２ａを取り外すだけで簡単に無線ＬＡＮアダプタ２９にアクセスすることができる。しかも、無線ＬＡＮアダプタ２９は、普段は吸込みパネル２２ａの内側に配設されており、ユーザーの目に触れることがないので、室内機から無線ＬＡＮアダプタ２９へのケーブル等によって、室内の美感が低下することもない。
【００２８】
また、本実施形態では、無線ＬＡＮアダプタ２９は電装品ボックス２８内のプリント基板Ｐから電源を供給されている。これにより、無線ＬＡＮアダプタ２９への電源供給のライン又はルートを簡素化することができる。なお、プリント基板Ｐから無線ＬＡＮアダプタ２９への電源線は、プリント基板Ｐから直接に無線ＬＡＮアダプタ２９に接続することもできるし、また、中継コネクタ（図示せず）を設け、この中継コネクタを介してプリント基板Ｐと無線ＬＡＮアダプタ２９とを接続することもできる。
【００２９】
〔実施形態３〕
図６は、本開示のさらに他の実施形態に係る、空気調和装置の室内機３１の斜視説明図である。
室内機３１は天井設置型の室内機であり、図示しない吊りボルトで天井から吊り下げられる。室内機３１は、外装部材としての箱形状のケーシング３３を備えており、このケーシング３３内に、図示しない送風機や熱交換器等の各種要素が収容されている。室内の空気は、ケーシング３３の下面に形成された吸込口３４から送風機により機内に吸引され、機内に配設された熱交換器を通過して冷却又は加熱された後にケーシング３３の側面に形成された吹出口３５から室内に吹き出される。
【００３０】
ケーシング３３のコーナー部には着脱自在のカバー部材３６が設けられている。このカバー部材３６の内側には、図８に示されるように、空気調和装置のネットワーク通信部として機能する無線ＬＡＮアダプタ３７が配設されている。図７は、図６に示される室内機３１のケーシング３３のコーナー部の斜視説明図であり、図８は、図７に示されるカバー部材３６をケーシング３３から取り外した状態の斜視説明図である。なお、図８に示される例では、カバー部材３６から離間した位置に無線ＬＡＮアダプタ３７が配設されているが、当該カバー部材３６の機内側の面に無線ＬＡＮアダプタ３７を配設することもできる。
【００３１】
ケーシング３３のカバー部材３６を外すことで簡単に無線ＬＡＮアダプタ３７にアクセスすることができる。また、無線ＬＡＮアダプタ３７は、普段はカバー部材３６の内側に配設されており外部からは見えないので、室内機３１から当該無線ＬＡＮアダプタ３７へのケーブル等がむき出しになることで美感が低下することもない。なお、本実施形態では、無線ＬＡＮアダプタ３７がホルダを用いることなくカバー部材３６の内側に配設されているが、図１〜５に示される実施形態のように、例えば合成樹脂製の取付ホルダに収容させることもできる。
【００３２】
〔その他の変形例〕
本開示は前述した実施形態に限定されるものではなく、特許請求の範囲内において種々の変更が可能である。
例えば、前述した実施形態では、天井埋め込み型、床置き型及び天井設置型の室内機について、それぞれ一形態の室内機を例示しているが、送風機等を収容する外装部材の一部が着脱自在のカバー部材とされている限り、他の形態の室内機にも本開示を適用することができる。
【符号の説明】
【００３３】
１  ：  室内機
２  ：  送風機
３  ：  熱交換器
４  ：  ケーシング
５  ：  化粧パネル
６  ：  吸込口
７  ：  吹出口
８  ：  吸込グリル
９  ：  フィルタ
１０  ：  モータ
１１  ：  羽根車
１２  ：  ドレンパン
１３  ：  吸込孔
１４  ：  ベルマウス
１５  ：  カバー部材
１６  ：  無線ＬＡＮアダプタ
１７  ：  取付ホルダ
２１  ：  室内機
２２  ：  ケーシング
２２ａ：  吸込みパネル
２２ｂ：  前面パネル
２３  ：  送風機
２４  ：  熱交換器
２５  ：  吸込口
２６  ：  吹出口
２７  ：  機械室
２８  ：  電装品ボックス
２９  ：  無線ＬＡＮアダプタ
３０  ：  取付ホルダ
３１  ：  室内機
３３  ：  ケーシング
３４  ：  吸込口
３５  ：  吹出口
３６  ：  カバー部材
３７  ：  無線ＬＡＮアダプタ
Ｃ  ：  天井
Ｆ  ：  床
Ｐ  ：  プリント基板
【図１】
2020026893.tif 000003
【図２】
2020026893.tif 000004
【図３】
2020026893.tif 000005
【図４】
2020026893.tif 000006
【図５】
2020026893.tif 000007
【図６】
2020026893.tif 000008
【図７】
2020026893.tif 000009
【図８】
2020026893.tif 000010